(57)【要約】【課題】従来のフレールモアの刈刃は、重量があり圃場の固形物に当たった場合、回転力が強いため石等を強い力で跳ね飛ばしたり、刈刃が破損しやすい課題があった。【解決手段】ロータ軸４の刈刃ホルダー２に回動自在に取付部材３によって取り付けられているフレールモアの刈刃１であって、刈刃１は、互いの接触面１１０で接する２つの分割半部１０からなり、それぞれ接触面１１０を対称軸面として左右対称な形状である一枚の板状体からなり、それぞれの板状体は、接触面部１１の下方部１２を接触面１１０から反対側横方向および前方向へ順次それぞれ略９０度ずつ捻られてなる形状を有し、回転方向に向いた板状体先端辺を平面的な前刃１４として形成するフレールモアの刈刃１による。【選択図】  図１
2009268444.tif 000002
【特許請求の範囲】
【請求項１】
ロータ軸に固定されてロータ軸の回転に伴い回転する刈刃ホルダーに回動自在に取付部材によって取り付けられているフレールモアの刈刃であって、
刈刃は、互いの接触面で接する２つの分割半部からなり、
２つの分割半部が、それぞれ接触面を対称軸面として左右対称な形状である一枚の板状体からなり、それぞれの板状体は、接触面部の下方部を接触面から反対側横方向および前方向へ順次それぞれ略９０度ずつ捻られてなる形状を有し、回転方向に向いた板状体先端辺を平面的な前刃として形成するとともに、
２つの分割半部のそれぞれは、取付部材によって刈刃ホルダーに自由回動可能に設けられることを特徴としたフレールモアの刈刃。
【請求項２】
２つの分割半部が、互いの自重により接触面同士が常に接する方向に付勢されるように、それぞれの重心の位置が設けられた形状である請求項１に記載のフレールモアの刈刃。
【請求項３】
２つの分割半部が、互いの接触面同士が接した状態であるとき、それぞれの前刃が連続する直線状刃を形成するとともに、前刃が位置する側の２つの接触面部の前側端辺が、下方に位置する前刃まで凸状の稜線部として連設された分割半部である請求項１又は請求項２に記載のフレールモアの刈刃。
【発明の詳細な説明】
【技術分野】
【０００１】
この発明は、トラクタの後部に装着して圃場等の草を刈取りながら粉砕するフレールモアの刈刃に関する。
【背景技術】
【０００２】
フレールモアは、トラクタの後部に装着されて牽引されつつ圃場の草を刈り、刈った草を同時に粉砕する作用を有している。その主な構造は、トラクタの動力によって回転するロータ軸と、そのロータ軸に多数設けられた刈刃ホルダーと、その刈刃ホルダーに回動自在に取付けボルト等の取付部材によって取付けられる刈刃とから構成されている。
【０００３】
従来のフレールモアの刈刃に関しては、特公昭４３−１０２９０号公報（従来技術１）に「収穫物刈取ナイフ」に関し、「縦の中間平面の両側において対称的な形状をなすプレート状の要素から成り、かつ後方の直立した、比較的横に狭い柄と、柄と一体を成す下方のシャベル状の部分とから成り、その柄はそのシャベル状の部分に前方および下方にかつ横に外方へおよび下方へ合併し、該柄は直立した前方および後方縁部と、上方の末端部と、対向して直立した縦の側部とを有し、前記下方のシャベル状部分は柄の前方縁部の前方から派生した横に比較的広い、前方の切断刃と、柄の後方縁部の下方部分の両側へ切断刃の両端部から後方および上方へ収斂する両側縁部とを有し、前記下方のシャベル状部分は上方および前方に面しかつ切断刃と柄の下方部分との間に延びる上部前表面を有し、かつ該表面は前記柄の下方部分へ後方および下方に収斂し、前記柄の前方縁部はその下方部分から上へ狭ばまり、かつ前記の中間平面において一般に垂直軸のまわりに比較的滑らかに丸くなっており、また柄の対向した縦の両側部の下方部分はおのおの前記シャベル状の下方部分の対向した両側縁部へ横へ外方および下方へ延びており、柄は前記プレート状要素の２重厚さの部分であり、また下方のシャベル状部分は前記プレート状要素の１重厚さの部分であり、前記２重厚さの部分の成分は概ね互いに接触しており、かつプレート状要素を柄の先導縁部に沿って折畳むことによって設けられるようにした収穫物刈取ナイフ」の記載、およびＦＩＧ．３乃至ＦＩＧ．６に図面の開示がある。
【０００４】
また、実開昭５８−７３４２６号公報（従来技術２）には「取付板状部に続いて所定の長さの爪先部を折曲形成し、この爪先部を巾方向中間部から外側に向けて彎曲形成するとともにその巾方向の両側縁に刈取刃を形成したことを特徴とするフレールモア用の爪」の開示がある。従来技術２の刈取刃は、第１図に示されるように回転軸１の固定された２つの爪４が回転軸１の回転に従って回転し爪４の両側端に形成されている刈取刃１２によって草を刈り取る構造である。
【０００５】
更に、実開平４−３５７１５号公報（従来技術３）は、「ハンマーナイフ」に関するもので「取付け部より先端に向かって  刃部を形成してなるハンマーナイフにおいて、刃部に沿った溝を形成し、前記溝断面は刃部方向へ徐々に深くなる部分を備えてなることを特徴とするハンマーナイフ」の記載がある。従来技術３の刈刃（ハンマーナイフ１）も第６図に図示されるように従来技術２と同じように回転軸１０６に取付ホルダ１０１を介して固定して回転軸１０６の回転に伴って回転し両端の刃で草を刈るものである。
【特許文献１】特公昭４３−１０２９０号公報（従来技術１）
【特許文献２】実開昭５８−７３４２６号公報（従来技術２）
【特許文献３】実開平４−３５７１５号公報（従来技術３）
【発明の開示】
【発明が解決しようとする課題】
【０００６】
フレールモアの刈刃は、刈刃ホルダーに保持され回転軸の軸長手方向に複数、かつ円周方向に角度をずらせて複数設けられている。そして重量が比較的重い刈刃の場合、回転のバランスが取りにくく故障しやすい課題があった。また、それぞれの刈刃には、作業中常に回転軸の高速回転による遠心力が掛かっており、取付部材が壊れた場合、刈刃が遠心力によって飛散する場合があり被覆カバーがあっても危険性があった。
【０００７】
また、従来技術１乃至３のように回転軸に固定され回転に伴って回転する場合、圃場にある石などの強度のある固形物に当たった場合、回転力が強いため石等を強い力で跳ね飛ばしたり、逆に大きな障害物であると刈刃が破損しやすい課題があった。
【０００８】
更に、従来技術２や従来技術３のような左右に開いた「くの字状」の刈刃体を２つ背合わせにした刈刃であると刈り跡が平面的にならずにギザギザになりやすい課題があった。
【課題を解決するための手段】
【０００９】
上記課題を解決するため、ロータ軸に固定されてロータ軸の回転に伴い回転する刈刃ホルダーに回動自在に取付部材によって取り付けられているフレールモアの刈刃であって、
刈刃は、互いの接触面で接する２つの分割半部からなり、
２つの分割半部が、それぞれ接触面を対称軸面として左右対称な形状である一枚の板状体からなり、それぞれの板状体は、接触面部の下方部を接触面から反対側横方向および前方向へ順次それぞれ略９０度ずつ捻られてなる形状を有し、回転方向に向いた板状体先端辺を平面的な前刃として形成するとともに、
２つの分割半部のそれぞれは、取付部材によって刈刃ホルダーに自由回動可能に設けられることを特徴としたフレールモアの刈刃を提案する。
【００１０】
更に、２つの分割半部が、互いの自重により接触面同士が常に接する方向に付勢されるように、それぞれの重心の位置が設けられた形状である０００９欄に記載のフレールモアの刈刃を提案する。
【００１１】
更に又、２つの分割半部が、互いの接触面同士が接した状態であるとき、それぞれの前刃が連続する直線状刃を形成するとともに、前刃が位置する側の２つの接触面部の前側端辺が、下方に位置する前刃まで凸状の稜線部として連設された分割半部である０００９欄又は００１０欄に記載のフレールモアの刈刃を提案する。
【発明の効果】
【００１２】
この発明によれば、１つの刈刃が、２つの分割半部からなりそれぞれ刈刃ホルダーに独立して自由回動可能に設けられているため、１つの分割半部の慣性力は小さく作業中に圃場等にある石や切り株などの障害物に当たった場合でも、従来の半分の衝撃ですみ故障が起こりにくく、石等の障害物の跳ね飛ばしや、破損した刈刃の飛散が減少する効果がある。特に請求項２のようにそれぞれの分割半部が板状体で形成されていると、分割半部の重量は比較的小さいため回転慣性力は小さくなる。
【００１３】
また、従来技術２や従来技術３のような左右に開いた「くの字」状の刈刃体を２つ背合わせにした刈刃と異なり、回転方向に向いた板状体端部を平面的な前刃を有しているために刈り跡が平面状になりきれいになるとともに、刈り取られた草などの持ち回りが行われ、細かく破砕されやすい効果がある。更に、回転方向に向いた板状体端部を平面的な前刃形状としたため、刃先端部が摩耗しても丸くならず鋭角状態を保って摩耗する。そのため切断性能が低下することが無く切断性能が長期間維持される。
【００１４】
更に、請求項３に係る発明であると、それぞれの前刃が連続する直線状刃を形成するとともに前刃が位置する側の２つの接触面の前側端部が、下方に位置する前刃まで稜線部として連設されているため、従来技術１のように左右一体となった構造のものと比較すると稜線部が補強部材の役割となり耐久性や耐摩耗性が向上する。
【発明を実施するための最良の形態】
【００１５】
この発明のフレールモアの刈刃の実施形態について図１乃至図１１に基づいて説明する。図１はこの発明の１つのフレールモアの刈刃の斜視図、図２は同じく正面図、図３は同じく左側面図、図４はこの発明の１つのフレールモアの刈刃を刈刃ホルダーに取付部材で取り付けた状態で分割半部が左右別々の作動を示す説明図、図５は、同じくこの発明の１つのフレールモアの刈刃を刈刃ホルダーに取付部材で取り付けた状態の断面背面図、図６は同じく下方から見た斜視図、図７は、この発明の１つのフレールモアの刈刃の作動状態を説明する説明図、図８はフレールモアの刈刃を設けたフレールモアをトラクタ側から見た斜視図、図９は同じく側面断面図、図１０は同じくフレールモアの一部切欠斜視図、図１１はフレールモアの動力伝達説明図である。
【００１６】
この発明の実施形態であるフレールモアの刈刃を取り付けるフレールモアについて図８乃至図１１を基にして説明する。フレールモアは、トラクタの後部に牽引され、トラクタの駆動力を入力軸５０、ギア５７、出力軸５１、駆動プーリ５２、Ｖベルト５３、従動プーリ５４を介してロータ軸４に回転力を伝動している。５５は、Ｖベルト５３へテンションを付与するテンションローラーであり、５６は、テンションローラ５５を支持するテンションアームである。
【００１７】
フレールモアは、ロータ軸４の前後の上部を被覆するようにフロントガード６０、リアガード６１を設けており、左右のサイドカバー６２にスタンド６３を設けている。６４はハンドル、６５はゲージ輪でありそれぞれ機枠６６に連結していて、ハンドル６４を回転させてゲージ輪６５を上下させて刈り高さを調節する。
【００１８】
ロータ軸４には、刈刃ホルダー２が軸長手方向に複数、かつ円周方向に角度をずらせて固定して設けられている。刈刃ホルダー２は、この実施例では円周方向では９０度角ずつずらせて軸長手方向に４列設けられている。
【００１９】
それぞれの刈刃ホルダー２は、ロータ軸４の回転方向とは逆の方向と外方向を開口部２１として開いた溝形状であり、互いに対向する対向部を有している。対向部には、取付部材である取付ボルト３が貫通可能なホルダー部取付部材貫通孔を有し、取付ボルト３によりそれぞれ刈刃１が取り付けられている。
【００２０】
次に図１乃至図７に基づいてこの発明の実施形態であるフレールモアの刈刃１について説明する。刈刃１は、正面図である図２に示すように接触面１１を中心に左右に分割された２つの分割半部１０、１０からなる。２つの分割半部１０、１０は、それぞれ取付部材である取付ボルト３によって刈刃ホルダー２に自由回動可能に設けられるとともに、接触面部１１、１１の接触面１１０、１１０によって互いに接触している。
【００２１】
２つの分割半部１０、１０は、それぞれ接触面部１１の接触面１１０を対称軸面として左右対称な形状である一枚の板状体からなる。それぞれの板状体は、接触面部１１の下方部１２を接触面１１０の反対側横方向および前方向へ順次それぞれ略９０度ずつ捻られてなる形状を有し、回転方向に向いた板状体先端辺を平面的な前刃１４として形成する。２つの分割半部１０、１０は、それぞれ接触面部１１の上端近傍に取付部材貫通孔１３を設けており、それぞれの取付部材貫通孔１３を貫通する取付ボルト３によって刈刃ホルダー２に取り付けられている。
【００２２】
２つの分割半部１０、１０は、それぞれの重心の位置を互いの接触面１１０同士が接するように付勢される位置に設けられている。
【００２３】
２つの分割半部１０、１０は、互いの接触面１１０、１１０同士が接した状態であるとき、それぞれの前刃１４が連続する直線状刃を形成するとともに、前刃１４が位置する側の２つの接触面部１１、１１の前側端辺が、下方に位置する前刃まで凸状の稜線部１５として連設されている。
【００２４】
刈刃１は上述した構成を有し、ロータ軸４の回転による刈刃ホルダー２の回転に従って図７に示すように前刃１４方向へ回転するが、取付ボルト３を中心に回動可能である。したがって刈刃１のどちらかの分割半部１０に圃場に落ちている石等の障害物が衝突した場合は、図４に示すように一方の分割半部１０のみが後方に弾かれる作動を行う。また刈刃１が摩耗しても図７の２点鎖線で示されるように摩耗していくため前刃１４先端部の鋭角が保たれ切断性能が低下しない。
【産業上の利用可能性】
【００２５】
この発明は、フレールモアの刈刃として利用する。
【図面の簡単な説明】
【００２６】
【図１】この発明の１つ実施形態を示すフレールモアの刈刃の斜視図
【図２】同じくフレールモアの刈刃の正面図
【図３】同じくフレールモアの刈刃の左側面図
【図４】この発明の１つのフレールモアの刈刃を刈刃ホルダーに取付部材で取り付けた状態で分割半部が左右別々の作動を示す説明図
【図５】同じくこの発明の１つのフレールモアの刈刃を刈刃ホルダーに取付部材で取り付けた状態の断面背面図
【図６】同じく下方から見た斜視図
【図７】この発明の１つのフレールモアの刈刃の作動状態を説明する説明図
【図８】この発明のフレールモアの刈刃を設けたフレールモアをトラクタ側から見た斜視図
【図９】同じく側面断面図
【図１０】同じくフレールモアの一部切欠斜視図
【図１１】同じくフレールモアの動力伝達説明図
【符号の説明】
【００２７】
１  刈刃
１０  分割半部
１１  接触面部
１１０  接触面
１２  接触面裏側下方部
１３  取付部材貫通孔
１４  前刃
１５  稜線部
２  刈刃ホルダー
３  取付ボルト（取付部材）
４  ロータ軸
５０  入力軸
５１  出力軸
５２  駆動プーリ
５３  Ｖベルト
５４  従動プーリ
５５  テンションローラー
５６  テンションアーム
５７  ギア
６０  フロントガード
６１  リアガード
６２  サイドカバー
６３  スタンド
６４  ハンドル
６５  ゲージ輪
６６  機枠
【図１】
2009268444.tif 000003
【図２】
2009268444.tif 000004
【図３】
2009268444.tif 000005
【図４】
2009268444.tif 000006
【図５】
2009268444.tif 000007
【図６】
2009268444.tif 000008
【図７】
2009268444.tif 000009
【図８】
2009268444.tif 000010
【図９】
2009268444.tif 000011
【図１０】
2009268444.tif 000012
【図１１】
2009268444.tif 000013